(57)【特許請求の範囲】
【請求項１】
ハードディスクを収納ラック内に固定させるための支持フレームにおいて、
グリップ及び前記グリップの対向する両端から延伸する２つの連接部を含むハンドルと、
前記ハンドルの前記２つの連接部にそれぞれ弾性的に連接される２つのサイドブラケットと、を備えており、
各連接部には、係止孔が設けられ、
前記収納ラックの対向する２つの側壁には、前記係止孔に対応する突起部がそれぞれ形成され、
前記ハンドルの前記グリップ及び前記連接部は、前記ハードディスクから離れる方向に向かって突出する弧状を呈し、
前記ハンドルの前記グリップの前記連接部に近い箇所には、当接ブロックがそれぞれ形成され、
該当接ブロックは、前記ハードディスクの対応する端部に当接され、
前記ハードディスクを前記収納ラック内に固定させる場合、前記ハードディスクの２つの側壁を前記支持フレームの前記２つのサイドブラケットにそれぞれ嵌め込むように、前記ハンドルに対して前記２つのサイドブラケットを折り曲げ、前記収納ラックの前記突起部が前記ハンドルの前記連接部の前記係止孔に係合されるまで、前記支持フレーム及び前記ハードディスクを前記収納ラック内に挿入させ、
前記収納ラックから前記ハードディスクを取り外す場合、前記ハンドルの形状を変形させるように、前記ハンドルを引っ張り、前記収納ラックの前記突起部を前記ハンドルの前記連接部の前記係止孔から離脱させることを特徴とするハードディスク用支持フレーム。
【請求項２】
前記２つのサイドブラケットのそれぞれは、側壁と、互いに平行する上壁及び下壁と、を備えており、
前記ハードディスクの前記２つの側壁には、少なくとも１つの固定孔がそれぞれ設けられ、
前記２つのサイドブラケットのそれぞれにおける前記側壁の内表面には、前記ハードディスクの前記固定孔と係合する位置決めピンが設けられていることを特徴とする請求項１に記載のハードディスク用支持フレーム。
【請求項３】
前記２つのサイドブラケットのそれぞれにおける前記側壁には、前記収納ラックの対応する側壁の内表面を押圧するための弾性押圧部が設けられていることを特徴とする請求項２に記載のハードディスク用支持フレーム。
【発明の詳細な説明】
【技術分野】
【０００１】
本発明は、ハードディスク用支持フレームに関するものである。
【背景技術】
【０００２】
コンピュータ等の電子デバイスには、一般的には、ハードディスク等のデータ記憶装置が装備されている。従来のハードディスクは、通常、スクリュー型固定具によって支持フレームに固定され、その後、この支持フレームをコンピュータの収納ラックに着脱可能に装着する。しかしながら、上記の過程において、スクリュードライバ等の工具を使用する必要があるため、ハードディスクの組み立て及び分解において非常に手間がかかり、且つ労力を要する。
【発明の概要】
【発明が解決しようとする課題】
【０００３】
前記課題を解決するために、本発明は、ハードディスクの組み立て及び分解を容易に行うためのハードディスク用支持フレームを提供する。
【課題を解決するための手段】
【０００４】
本発明に係るハードディスク用支持フレームは、ハードディスクを収納ラック内に固定させるために用いられ、グリップ及び前記グリップの対向する両端から延伸する２つの連接部を含むハンドルと、前記ハンドルの前記２つの連接部にそれぞれ弾性的に連接される２つのサイドブラケットと、を備える。各連接部には、係止孔が設けられており、前記収納ラックの対向する２つの側壁には、前記係止孔に対応する突起部がそれぞれ形成されている。前記ハードディスクを前記収納ラック内に固定させる場合、ハードディスクの２つの側壁を前記支持フレームの前記２つのサイドブラケットにそれぞれ嵌め込むように、前記ハンドルに対して前記サイドブラケットを折り曲げ、前記収納ラックの前記突起部が前記ハンドルの前記連接部の前記係止孔に係合されるまで、前記支持フレーム及び前記ハードディスクを前記収納ラック内に挿入させる。前記収納ラックから前記ハードディスクを取り外す場合、前記ハンドルの形状を変形させるように、前記ハンドルを引っ張り、前記収納ラックの前記突起部を前記ハンドルの前記連接部の係止孔から離脱させる。
【発明の効果】
【０００５】
従来の技術と比べて、本発明のハードディスク用支持フレームは、ハンドル及びハンドルの両端に弾性的に連接される２つのサイドブラケットを備え、ハンドルに対して２つのサイドブラケットを折り曲げることにより、この２つのサイドブラケットをハードディスクの両側壁にそれぞれ嵌合させることができる。これにより、ハードディスクの組み立て及び分解の過程において、ネジ等の部品を使用する必要がないため、組み立て及び分解が非常に容易且つ便利である。
【図面の簡単な説明】
【０００６】
【図１】本発明の実施形態に係る、ハードディスク、支持フレーム、及び収納ラックの組立図である。
【図２】図１に示したハードディスク及び支持フレームの分解図である。
【図３】図１に示したハードディスク及び支持フレームを別の視点から見た分解図である。
【図４】図２及び図３示したハードディスク及び支持フレームの組立図である。
【図５】図１に示したハードディスク及び支持フレームと収納ラックとの分解図である。
【発明を実施するための形態】
【０００７】
以下、図面を参照して、本発明の実施形態について説明する。
【０００８】
図１を参照すると、本発明の実施形態に係る支持フレーム３００は、ハードディスク１００を収納ラック２００に装着するために用いられる。
【０００９】
図２及び図３を参照すると、ハードディスク１００の対向する２つの側壁には、２つの固定孔１０１がそれぞれ設けられている。支持フレーム３００は、プラスチック又はナイロン等の弾性材料からなり、ハンドル１２と、ハンドル１２の両端からハンドル１２の長手方向に沿ってそれぞれ延伸する２つのサイドブラケット１１とを備える。
【００１０】
各サイドブラケット１１は、側壁１１６と、側壁１１６の上縁から該側壁１１６に対して垂直に延伸する上壁１１２と、側壁１１６の下縁から上壁１１２と同じ方向に、且つ垂直に延伸する下壁１１４と、側壁１１６の両端から垂直に延伸し、且つ上壁１１２及び下壁１１４の端部とそれぞれ連接する２つの端壁１１７と、を備える。上壁１１２と下壁１１４との間の距離は、ハードディスク１００の厚さより僅かに小さい。２つの端壁１１７の間の距離は、ハードディスク１００の長さより僅かに小さい。側壁１１６には、円弧状を呈し、且つ側壁１１６の外側へ突出する２つの弾性押圧部１１６２がそれぞれ形成されている。側壁１１６の内側表面には、ハードディスク１００の固定孔１０１にそれぞれ対応する２つの位置決めピン１１６４が設けられている。ハンドル１２は、弧状のグリップ１２１と、該グリップ１２１の両端からそれぞれ延伸する２つの弧状の連接部１２２と、を備える。グリップ１２１の両端の内側面には、連接部１２２にそれぞれ隣接する複数の当接ブロック１２１２が形成されている。各連接部１２２には、さらに係止孔１２２１がそれぞれ設けられている。
【００１１】
図５を参照すると、収納ラック２００は、底板２０１と、底板２０１の長手方向の両側から上方へ垂直に延伸する２つの側板２０２と、２つの側板２０２の頂部から互いに向かってそれぞれ延伸する２つの頂板２０３と、を備える。収納ラック２００の先端には、開口２１０が形成されている。開口２１０に近い各側板２０２の端部には、他方の側板２０２から離れる方向へ斜めに、且つ外部に向かって延伸する係止部２０２１が形成されている。各係止部２０２１の内側面には、突起部２０２２がそれぞれ形成されている。
【００１２】
図１、図４、及び図５を参照すると、ハードディスク１００を組み立てる場合、まず、支持フレーム３００をＵ字形になるように折り曲げ、支持フレーム３００の２つのサイドブラケット１１をハンドル１２に対して内側へ回転させ、且つハードディスク１００の２つの側壁にそれぞれ取り付ける。この時、ハードディスク１００の２つの側壁は、支持フレーム３００の２つのサイドブラケット１１内にそれぞれ嵌め込まれ、各サイドブラケット１１の位置決めピン１１６４は、ハードディスク１００の対応する固定孔１０１に係合される。サイドブラケット１１の上壁１１２と下壁１１４との間の距離がハードディスク１００の厚さより僅かに小さく、また、サイドブラケット１１の２つの端壁１１７の間の距離がハードディスク１００の長さより僅かに小さいため、サイドブラケット１１は、その変形によってハードディスク１００を強固に保持することができる。また、この時、ハンドル１２の２つの連接部１２２は折り曲げられるため、ハンドル１２の当接ブロック１２１２は、ハードディスク１００の前端に当接される。ハンドル１２のグリップ１２１と各サイドブラケット１１の側壁１１６との間の夾角は、９０度より大きい。次に、収納ラック２００の突起部２０２２がハンドル１２の連接部１２２の係止孔１２２１に係合されるまで、ハンドル１２のグリップ１２１を操作することによって、ハードディスク１００及び支持フレーム３００は、収納ラック２００の開口２１０を介して収納ラック２００内に挿入される。これにより、ハードディスク１００は、収納ラック２００に固定される。この時、各サイドブラケット１１の側壁１１６の弾性押圧部１１６２が収納ラック２００の対応する側板２０２の内表面に押圧されるため、ハードディスク１００に対する衝撃を緩和することができる。
【００１３】
収納ラック２００からハードディスク１００を取り外す場合、まず、ハンドル１２のグリップ１２１を引っ張って、ハンドル１２の形状を変形させる。この時、ハンドル１２の２つの連接部１２２は、内側に向かって収縮し、それによって、収納ラック２００の突起部２０２２は、連接部１２２の係止孔１２２１から離脱する。これにより、ハードディスク１００と支持フレーム３００とは、共に収納ラック２００の開口２１０を介して収納ラック２００から引き出すことができる。次に、サイドブラケット１１の位置決めピン１１６４とハードディスク１００の２つの側壁の固定孔１０１との係合を解除する。これにより、ハードディスク１００を支持フレーム３００から取り出すことができる。
【符号の説明】
【００１４】
３００  支持フレーム
１１  サイドブラケット
１１２  上壁
１１４  下壁
１１６  側壁
１１６２  弾性押圧部
１１６４  位置決めピン
１１７  端壁
１２  ハンドル
１２１  グリップ
１２１２  当接ブロック
１２２  連接部
１２２１  係止孔
１００  ハードディスク
１０１  固定孔
２００  収納ラック
２０１  底板
２０２  側板
２０３  頂板
２０２１  係止部
２０２２  突起部
２１０  開口
【図１】
0005642839.tif 000002
【図２】
0005642839.tif 000003
【図３】
0005642839.tif 000004
【図４】
0005642839.tif 000005
【図５】
0005642839.tif 000006